(57)【要約】【課題】複数の単電池を連結板で連結した組電池を所望の位置にある連結板を折り曲げる際に、小さい折り曲げ力で、且つ連結板の中央部で正確に折り曲げることが可能な連結板を用いた組み電池を提供する。【解決手段】複数の単電池の端子間を複数の連結板で接続してなる組電池において、前記連結板の少なくとも１つの連結板には、隣接する２つの単電池の各端子に当接する端子当接部を結ぶ線分の中点に直交する線上に孔部を形成する。【選択図】  図  １
2005011629.tif 000002
【特許請求の範囲】
【請求項１】
複数の単電池の端子間を複数の連結板で接続してなる組電池において、
前記連結板の少なくとも１つの連結板には、隣接する２つの単電池の各端子に当接する端子当接部を結ぶ線分の中点に直交する線上に孔部が形成されていることを特徴とする組電池。
【請求項２】
前記組電池は、前記孔部が形成された連結板部の孔部を含む線で折り曲げられていることを特徴とする請求項１に記載の組電池。
【請求項３】
前記連結板の孔部は、単一の長い孔部で形成されていることを特徴とする請求項１又は２に記載の組電池。
【請求項４】
前記連結板の孔部は、複数の孔部で形成されていることを特徴とする請求項１又は２に記載の組電池。
【請求項５】
前記組電池は、前記孔部が形成された連結板部の孔部を含む線で折り曲げられ、単電池間を接続する少なくとも２個以上の連結板の孔部を貫通する固定部材によって組電池収納部に固定されていることを特徴とする請求項１〜４に記載の組電池。
【発明の詳細な説明】
【０００１】
【発明の属する技術分野】
本発明は、複数本の単電池を並列に並べて連結した組電池及びその連結（接続）に使用する連結板に関する。
【０００２】
【従来の技術】
複数本の単電池を並列に並べて単電池相互を連結した組電池は、種々の用途に使用されている。
このような組電池は、単電池の連結数を調整することによって、組電池としての電圧や容量を自由に調整することができる。
以下に従来の単電池を複数連結した組電池の構成例について図５〜６を用いて説明する。
図５は組電池の構成要素である単電池及び連結用の連結板であって、図５（ａ）が単電池の側面図で、図５（ｂ）が連結用の連結板の側面図である。
【０００３】
図６は、図５の単電池及び連結板を複数用いて組電池を構成した例であって、隣接する単電池相互を逆極性（一方の単電池の陽極と他方の単電池の陰極）に連結（接続）して、複数の単電池を直列接続した状態を示した側面図である。
図７は、単電池と連結板の連結状態の詳細を示すもので、一方の円筒型単電池１ａの陽極と他方の単電池１ｂの陰極を連結板２で連結した状態を示す上面図である。
連結板による単電池との連結は、連結板の裏面に形成された溶接用ビード２ａと単電池の陽極又は陰極とを溶接することによって行われる。
２ｂは、連結板に設けられた一対の第１のスリットである。
【０００４】
このような単電池の連結板の従来例としては、図８に示すものが知られている。（例えば、特許文献１参照）
上記特許文献１には、以下の記載がなされている。
接続板１０は、銅（Ｃｕ）材よりなる長方形状の薄板であって、曲面状隅角部１１を有している。そして、接続板１０には、厚さ３ないし２０μｍのニッケル（Ｎｉ）メッキが電気メッキあるいは化学メッキにより施されている。
また、接続板１０の長手方向中央部１２は、図８（ｂ）に示すように主面部に対し平行にせり上った形状とされている。
そして、接続板１０の長手方向両端の中央部から長辺に平行な１対のスリット１３が、例えば中央部１２の中心において板厚の例えば０．５倍の厚さの狭い間隔部１４を保持するように形成されている。
【０００５】
なお、スリット１３の位置は接続板１０の幅の中央部でなくてもよく、狭い間隔部１４も中央部１２から外れていてもよい。
また、接続板１０の両端寄りには、これらのスリット１３の両側に沿って下方へ突出するドーム形状の溶接用ビード１５が各端の片側で少くとも１箇所（図では２箇所）に形成されている。
【０００６】
なお、図８（ｃ）に示すようにビード１５の高さａは、板厚の０．５〜２倍、例えば２倍、そして、径ｂは、板厚の１〜１０倍、例えば５倍とされている。
次に、この接続板１０の電池１６への溶接について図８（ｄ）及び図８（ｅ）を参照して説明する。
先づ、溶接機には短時間に大電流を流すことができる溶接機を使用する。これは、通常の溶接機を用いて銅（Ｃｕ）材を溶接する場合、熱が発生し、溶接を行うことが出来ないからである。そして、溶接電流は１ＫＡ（ｍｉｎ）程度の大電流とする。
【０００７】
溶接に当っては、図８（ｆ）に示す従来の接続板では、銅自体の電気抵抗が低いために電流が溶接用ビードに流れずにスリット４があっても接続板自体に回り込んで流れてしまい、溶接時の無効電流が多くなってしまうので、図８（ａ）のように深く入り込むスリット１３のある接続板１０を用いる。
図８（ａ）に示す接続板１０の一端を電池１６の極に接触させ、溶接機の電極を接続板１０の一端に当てて大電流（１ＫＡ以上）を短時間（１００ｍｓｅｃ以下）流すと、接続体のスリット１３の片側から他側へ向けて狭い間隔部１４を経てＡで示すように電流が流れ、狭い間隔部１４は発熱して溶断する。これが第１段階である。
【０００８】
次の第２段階では、１対のスリット１３，１３が連続して接続板１０が完全に２つの片に分断されるので、電流の回り込みが無い状態で、溶接用ビード１５のみを経てＢで示すように電流が流れ、抵抗溶接が行われる。
なお、前記の狭い間隔部１４は２個所以上設けてもよい。また、その場所は前述のように中央部に限らない。
この間隔部１４によって、スリット１３の両側の接続板部分が最初は一体的に連結されているので、接続板１０を電池に接続する直前までは一体的な接続板として扱うことができて便利であるが、一度溶接電流を流すと接続板がスリット１３を挟んで分割されて電流の回り込みを阻止する。
図８（ｄ）に示すようにして、接続板１０の一端を電池１６に接続し終ってから、図８（ｅ）に示すように接続板１０の他端を他の電池１６ａに接続する。この時の溶接電流Ｃも回り込みのない状態で流れ、抵抗溶接は支障なく行われる。
【０００９】
【特許文献１】特開２０００−１０６１７０号公報
図１〜６及び  （０００９）〜（００１３）
【００１０】
【発明が解決しようとする課題】
前記図６に示すような複数の単電池を連結板で連結した組電池を図２（ａ）に示すようなケースに納める場合には、図２（ｂ）に示すように、連結された組電池を一点鎖線で示す位置で、矢印で示すように折り曲げる必要がある。
図２（ｂ）の如く、連結された組電池を一点鎖線で示す位置で、矢印で示すように折り曲げれば、図２（ｃ）に示すようにケース内に納めることができる。
図２（ｃ）において、折り曲げた組電池の間に存在する太線は、短絡防止用壁である。
【００１１】
ここで、図２（ｂ）の如く、連結された組電池を一点鎖線で示す位置で、矢印で示すように折り曲げる際に、図７に示すような連結板を使用すると、連結板の中央を折り曲げることになるので、折り曲げに要する力として大きな力を必要とすることになる。
また、折り曲げ作業を注意深く行わないと、連結板の中央を正確に折り曲げることができず、斜めに曲がる等の不正確な折り曲げ状態になってしまうことがあるという問題があった。
【００１２】
本発明の課題
（目的）は、複数の単電池を連結板で連結した組電池を所望の位置にある連結板を折り曲げる際に、小さい折り曲げ力で、且つ連結板の中央部で正確に折り曲げることが可能な連結板を用いた組み電池を提供することにある。
【００１３】
前記課題を解決するために、複数の単電池の端子間を複数の連結板で接続してなる組電池において、前記連結板の少なくとも１つの連結板には、隣接する２つの単電池の各端子に当接する端子当接部を結ぶ線分の中点に直交する線上に孔部を形成する。（請求項１）
【００１４】
また、前記組電池は、前記孔部が形成された連結板部の孔部を含む線で折り曲げる構成とする。（請求項２）
また、前記連結板の孔部は、単一の長い孔部で形成する。（請求項３）
また、前記連結板の孔部は、複数の孔部で形成する。（請求項４）
【００１５】
また、前記組電池は、前記孔部が形成された連結板部の孔部を含む線で折り曲げられ、単電池間を接続する少なくとも２個以上の連結板の孔部を貫通する固定部材によって組電池収納部に固定される構成とする。（請求項５）
【００１６】
【発明の実施の形態】
次に、図１を用いて本発明の連結板及び該連結板を用いて一方の単電池１ａの陽極と他方の単電池１ｂの陰極を連結する構成を説明をする。
図１において、１ａは一方の単電池、１ｂは他方の単電池、２は連結板である。
連結板２には、溶接用ビート（当接部）２ａ及び一対の第１のスリット２ｂが存在する点は、図７で示した従来の連結板と同様である。
本発明の連結板の特徴は、連結板の中央部（一方の単電池１ａと他方の単電池１ｂの接触部）に形成された第２のスリット（孔部）２ｃが形成されている点である。
【００１７】
このような、スリット２ｃを連結板２に形成することによって、複数の単電池を連結板で連結した組電池を所望の位置にある連結板を折り曲げる際に、小さい折り曲げ力で、且つ連結板の中央部で正確に折り曲げることが可能になる。
複数の単電池を連結板で連結した組電池を所望の位置で連結板を正確に折り曲げることによって、図２（ｃ）に示すように収納ケース内に折り曲げた組電池を正確に納めることができる。ここで、孔部は、隣接する２つの単電池の各端子に当接する端子当接部を結ぶ線分の中点に直交する線に沿うように形成されているものとされ、前記線分が複数本存在しうる場合には、そのうち最短となる線分の中点に直交する線に沿うように形成されているものとされる。
【００１８】
前記連結板の別の実施の態様である変形例を図３を用いて説明する。
図３（ａ）は、図１におけるスリット２ａを複数の連続する小孔２ｃで形成したもので、図３（ｂ）は、図１におけるスリット２ａ複数の分離したスリット２ｃで形成したものである。
また、図３（ｃ）は、スリット（孔部）２ａの形状例を示し、（１）楕円、（２）直線＋円弧、（３）三角形＋長方形及び（４）長方形等の種々の形状とすることができる。
【００１９】
次に、本発明の組電池の別の実施の形態を図４を用いて説明する。
図４で、１は単電池で、２−１〜２−５は連結板、３−１，３−２は固定部材である。
図４では、複数の単電池を連結板２−１〜２−５で連結した組電池は、連結板２−２の部分で折り曲げられている。
また、連結板２−４及び２−５のスリットには固定部材３−１及び３−２が貫通されて
結板の孔部を貫通する固定部材によって収納ケース（組電池収納部）の底面或いは側面等の固定箇所（イ、ロ、ハ）に固定手段によって固定される構成とすることによって、振動等によって収納ケースに収納された組電池が移動してしまうのを防止することができる。
図４では、連結板２−４及び２−５の孔部を貫通する固定板３−１及び３−２の２箇所で固定されているが、他の連結板の孔部を貫通する固定板を用いて固定点を分散することによってより軽量固定部材で固定することが可能になる。
また、組電池の収納ケース（組電池収納部）の形状等に併せて、最適な固定位置を選択することも可能である。
この実施の態様では、この組電池の固定に多数の連結板の孔部を有効に利用されている。なお、図４には、全体がやや特殊な形状となる組電池を例に挙げたが、図２（ｃ）に示すような組電池において、前記固定部材を同図上下方向に適用することができることはいうまでもない。又、同図に示した短絡防止用壁をさらに左方向に延長させて連結板を貫通して固定部材として用いてもよい。
【００２０】
【発明の効果】
請求項１に記載の発明は、複数の単電池の端子間を複数の連結板で接続してなる組電池において、前記連結板の少なくとも１つの連結板には、隣接する２つの単電池の各端子に当接する端子当接部を結ぶ線分の中点に直交する線上に孔部が形成しているので、複数の単電池を連結板で連結した組電池を所望の位置にある連結板を折り曲げる際に、小さい折り曲げ力で、且つ連結板の中央部で正確に折り曲げることが可能である。
【００２１】
また、請求項２に記載の発明は、前記組電池は、前記孔部が形成された連結板部の孔部を含む線で折り曲げる構成として、所定のケース内に設置することができる。
また、請求項３又は４に記載の発明は、前記連結板の孔部として、単一の長い孔部で形成したり、複数の孔部で形成して、用途等に応じて適宜選択できる。
【００２２】
また、請求項５に記載の発明は、前記組電池は、前記孔部が形成された連結板部の孔部を含む線で折り曲げられ、単電池間を接続する少なくとも２個以上の連結板の孔部を貫通する固定部材によって収納ケース（組電池収納部）に固定される構成とすることによって、振動等によって収納ケースに収納された組電池が移動してしまうのを防止することができる。
そして、この組電池の固定に連結板の孔部を有効に利用できる。
【図面の簡単な説明】
【図１】本発明の連結板を用いた一方の単電池と他方の単電池を連結した構成を示す上面図である。
【図２】連結された組電池を折り曲げて収納ケース内に納める状態を説明する図である。
【図３】連結板の別の実施の態様である変形例を示す図である。
【図４】本発明の組電池の別の実施の形態を示す図である。
【図５】組電池の構成要素である単電池及び連結用の連結板を示す側面図である。
【図６】単電池を連結した組電池の構成を示す側面図である。
【図７】従来の連結板を用いた一方の単電池と他方の単電池を連結した構成を示す上面図である。
【図８】従来の連結板の構成及び単電池との接続を示す図である。
【符号の説明】
１ａ，１ｂ                単電池
２            連結板
２ａ            端子当接部（ビード）
２ｂ            第１のスリット
２ｃ            第２のスリット（孔部）
３                        固定部材
４            収納ケース（組電池収納部）
【図１】
2005011629.tif 000003
【図２】
2005011629.tif 000004
【図３】
2005011629.tif 000005
【図４】
2005011629.tif 000006
【図５】
2005011629.tif 000007
【図６】
2005011629.tif 000008
【図７】
2005011629.tif 000009
【図８】
2005011629.tif 000010